(57)【要約】【課題】本発明は、輪状ステータ体の外側に位置するモータ等からの漏れ磁束が輪状ステータ体内へ侵入することを防止する。【解決手段】本発明によるレゾルバステータ構造は、輪状ステータ体(1)の各突出磁極(3)の外側に設けた複数の弧状開口(1A)により、外部からの磁束の輪状ステータ体(1)内への侵入を防止するようにした構成である。【選択図】図１
2014150703.tif 000002
【特許請求の範囲】
【請求項１】
所定角度間隔で内方へ突出する複数の突出磁極(3)を有する輪状ステータ体(1)と、前記輪状ステータ体(1)に設けられ前記各突出磁極(3)の外側に位置して弧状に曲折する複数の弧状開口(1A)と、からなり、前記輪状ステータ体(1)外からの磁束の前記輪状ステータ体(1)内への侵入を前記弧状開口(1A)により防止するように構成したことを特徴とするレゾルバステータ構造。
【請求項２】
前記弧状開口(1A)は、前記輪状ステータ体(1)の円周を９０度毎に４分割してなる第１〜第４９０度領域(14〜17)内に各１個のみ設けられていることを特徴とする請求項１記載のレゾルバステータ構造。
【請求項３】
前記弧状開口(1A)は、前記輪状ステータ体(1)の円周を１２０度毎に３分割してなる第１〜第３１２０度領域(20〜21)内に各１個のみ設けられていることを特徴とする請求項１記載のレゾルバステータ構造。
【請求項４】
前記弧状開口(1A)は、前記輪状ステータ体(1)の円周を１８０度毎に２分割してなる第１〜第２１８０度領域(30〜31)内に各１個のみ設けられていることを特徴とする請求項１記載のレゾルバステータ構造。
【発明の詳細な説明】
【技術分野】
【０００１】
本発明は、レゾルバステータ構造に関し、特に、輪状ステータ体の各突出磁極の外側に設けた複数の弧状開口により、外部からの磁束の輪状ステータ内への侵入を防止するための新規な改良に関する。
【背景技術】
【０００２】
従来、用いられていたレゾルバステータ構造としては、例えば、特許文献１に開示された構成を図５及び図６として挙げることができる。
すなわち、図５において符号１で示されるものは輪状ステータ体であり、この輪状ステータ体１の内周部２には、内方へ向けて突出する複数の突出磁極３が所定の角度間隔で形成され、各突出磁極３にはステータ巻線４が巻回して設けられている。
【０００３】
前記輪状ステータ体１の前記突出磁極３の外側位置には、複数の長孔からなるボルト固定用穴５が設けられており、前記輪状ステータ体１を、図示しないモータの一端、エンジンの回転体の一端等に対してボルトを用いて取付け、前記輪状ステータ体１の円周方向の位置決めを行う際には、前記ボルトに対してボルト固定用穴５の回動範囲内において回動させることにより、位置決めを行うように構成されていた。
また、文献名を開示していないが、図７に示されるように、前記ボトル固定用穴を有しない輪状ステータ体１も用いられていた。
【先行技術文献】
【特許文献】
【０００４】
【特許文献１】米国特許第６，８３８，８０４Ｂ２
【発明の概要】
【発明が解決しようとする課題】
【０００５】
従来のレゾルバステータ構造は、以上のように構成されていたため、次のような課題が存在していた。
すなわち、図５の輪状ステータ体１を有するレゾルバステータ構造１０を用いたレゾルバを、例えば、図６のように、車輌のモータ１１の近傍に取付けた場合、モータ１１のモータコイル１２からの磁束１３が前記輪状ステータ体１の外縁から突出磁極３に侵入し、図示しないロータと各突出磁極３との間のギャップパーミアンスに基づく磁束の変化を二相のレゾルバ出力信号として取り出す時の外乱の原因となり、検出精度の低下となることもあった。
そのため、レゾルバの取付位置とモータの取付位置の関係を、車輌の設計段階から考慮しなければならず、車輌設計の自由度が大きく阻害されることになっていた。
また、図７に示されるレゾルバステータ構造においては、輪状ステータ体の外縁は、前述のボルト固定用穴５等も設けられていない円板の状態であるため、図３の構成と同等もしくはそれ以上に外部のモータ１１等からの漏れ磁束１３の影響を受けやすい構造であった。
【課題を解決するための手段】
【０００６】
本発明によるレゾルバステータ構造は、所定角度間隔で内方へ突出する複数の突出磁極を有する輪状ステータ体と、前記輪状ステータ体に設けられ前記各突出磁極の外側に位置して弧状に曲折する複数の弧状開口と、からなり、前記輪状ステータ体外からの磁束の前記輪状ステータ体内への侵入を前記弧状開口により防止するようにした構成であり、また、前記弧状開口は、前記輪状ステータ体の円周を９０度毎に４分割してなる第１〜第４９０度領域内に各１個のみ設けられている構成であり、また、前記弧状開口は、前記輪状ステータ体の円周を１２０度毎に３分割してなる第１〜第３１２０度領域内に各１個のみ設けられている構成であり、また、前記弧状開口は、前記輪状ステータ体の円周を１８０度毎に２分割してなる第１〜第２１８０度領域内に各１個のみ設けられている構成である。
【発明の効果】
【０００７】
本発明によるレゾルバステータ構造は、以上のように構成されているため、次のような効果を得ることができる。
すなわち、所定角度間隔で内方へ突出する複数の突出磁極を有する輪状ステータ体と、前記輪状ステータ体に設けられ前記各突出磁極の外側に位置して弧状に曲折する複数の弧状開口と、からなり、前記輪状ステータ体外からの磁束の前記輪状ステータ体内への侵入を前記弧状開口により防止するように構成したことにより、モータ等の漏れ磁束に近い位置にレゾルバを配置してもモータ等から受ける磁束を低減することができ、車輛等のレイアウト設計の自由度を広げることができる。
また、前記弧状開口は、前記輪状ステータ体の円周を９０度毎に４分割してなる第１〜第４９０度領域内に各１個のみ設けられていることにより、４個の弧状開口の位置に合わせてモータ等の配列位置を自由に決めることができる。
また、前記弧状開口は、前記輪状ステータ体の円周を１２０度毎に３分割してなる第１〜第３１２０度領域内に各１個のみ設けられていることにより、３個の弧状開口の位置に合わせてモータ等の配列位置を自由に決めることができる。
また、前記弧状開口は、前記輪状ステータ体の円周を１８０度毎に２分割してなる第１〜第２１８０度領域内に各１個のみ設けられていることにより、輪状ステータ体の円周のほぼ全てに弧状開口が形成されているため、レゾルバとモータ等とのレイアウト設計が極めて容易となる。
【図面の簡単な説明】
【０００８】
【図１】本発明によるレゾルバステータ構造を示す平面図である。
【図２】図１のレゾルバステータ構造とモータの漏れ磁束との関係を示す説明図である。
【図３】図１の他の形態を示す平面図である。
【図４】図１の他の形態を示す平面図である。
【図５】従来のレゾルバステータ構造を示す平面図である。
【図６】図５のレゾルバステータ構造にモータを近接配置した状態を示す説明図である。
【図７】他の従来構成を示す平面図である。
【発明を実施するための形態】
【０００９】
本発明は、輪状ステータ体の各突出磁極の外側に設けた複数の弧状開口により、外部からの磁束の輪状ステータ内への侵入を防止するようにしたレゾルバステータ構造を提供することを目的とする。
【実施例】
【００１０】
以下、図面と共に本発明によるレゾルバステータ構造の好適な実施の形態について説明する。
尚、従来例と同一又は同等部分には同一符号を用いて説明する。
図１において、符号１で示されるものは円板状をなす輪状ステータ体であり、この輪状ステータ体１の内周部２には、所定角度間隔毎に内方へ向けて突出する複数の突出磁極３が設けられている。
【００１１】
前記各突出磁極３には、周知の励磁巻線と出力巻線からなるステータ巻線４が図示しない巻線機によって巻回されている。
前記輪状ステータ体１の前記各突出磁極３の外側位置、すなわち、図５の各ボルト固定用穴５が形成されている位置と同様の位置には、弧状に曲折すると共に肉厚方向に貫通する弧状開口１１が形成されており、前記弧状開口１１は、前記輪状ステータ体１の円周を９０度毎に４分割してなる第１〜第４９０度領域１２,１３,１４,１５に各１個設けられている。
尚、前記輪状ステータ体１の前記各突出磁極３の内側のロータ用孔１６内には、図示しない周知の可変リラクタンス型のロータが回転自在に配設されている。
【００１２】
前述の図１の構成によるレゾルバステータ構造１０のロータ用孔１６内に図示しないロータを配設して、インナロータ型の可変リラクタンス型レゾルバとして用いる場合、図２のように、前記輪状ステータ体１の近傍にモータ１１を配設した構成とした状態においても、このモータ１１のモータコイル１２から漏れる漏れ磁束１３が前記輪状ステータ体１の外周部１８から前記内周部２に向けて侵入しようとするが、前記弧状開口１１の存在によって輪状ステータ体１の外縁の磁気抵抗が従来（図５及び図７の構成）よりも大幅に高くなっているため、前記漏れ磁束１３は輪状ステータ体１の内方、すなわち、前記突出磁極３側に対して到達することは難しく、各突出磁極３におけるステータ巻線４に対する磁気的影響を防止することができるように構成されている。
従って、前記レゾルバステータ構造１０を用いて可変リラクタンス型のレゾルバを構成した場合、外乱の影響の少ない高精度の２相レゾルバ出力信号を得ることができる。
【００１３】
次に、図３で示されるレゾルバステータ構造１０は、図１のレゾルバステータ構造１０の他の形態を示す構成であり、図１と同一部分には同一符号を付し、その説明は省略すると共に、図１と異なる部分についてのみ説明する。
すなわち、図３においては、前記輪状ステータ体１の円周が１２０度毎に３分割してなる第１〜第３１２０度領域２０,２１,２２に分けられ、前記第１〜第３１２０度領域２０,２１,２２に各１個のみの前記弧状開口１Ａが設けられている。
従って、前記各弧状開口１Ａの弧状長さは、図１における各弧状開口１Ａの長さよりも長く形成されているため、前述の図２のように、前記輪状ステータ体１の近傍にモータ１１を配設する場合の自由度がより一層大きくなる。
【００１４】
次に、図４で示されるレゾルバステータ構造１０は、図１のレゾルバステータ構造１０の他の形態を示す構成であり、図１と同一部分には同一符号を付し、その説明は省略すると共に、図１と異なる部分についてのみ説明する。
すなわち、図４においては、前記輪状ステータ体１の円周が１８０度毎に３分割してなる第１、第２１８０度領域３０,３１に分けられ、前記第１、第２１８０度領域３０,３１に各１個のみの前記弧状開口１Ａが設けられている。
従って、前記各弧状開口１Ａの弧状長さは、図１における各弧状開口１Ａの長さよりも長く形成されているため、前述の図２のように、前記輪状ステータ体１の近傍にモータ１１を配設する場合の自由度がより一層大きくなる。
【産業上の利用可能性】
【００１５】
本発明によるレゾルバステータ構造は、輪状ステータ体の各突出磁極の外側に弧状開口が設けられているため、モータからの漏れ磁束の輪状ステータ体内への侵入を防止し、レゾルバに対するモータの取付位置の自由度を大きくすることができる。
【符号の説明】
【００１６】
１    輪状ステータ体
１Ａ    弧状開口
２    内周部
３    突出磁極
４    ステータ巻線
１０    レゾルバステータ構造
１１    モータ
１２    モータコイル
１３    漏れ磁束
１４    第１９０度領域
１５    第２９０度領域
１６    第３９０度領域
１７    第４９０度領域
１８    外周部
２０    第１１２０度領域
２１    第２１２０度領域
２２    第３１２０度領域
３０    第１１８０度領域
３１    第２１８０度領域
【図１】
2014150703.tif 000003
【図２】
2014150703.tif 000004
【図３】
2014150703.tif 000005
【図４】
2014150703.tif 000006
【図５】
2014150703.tif 000007
【図６】
2014150703.tif 000008
【図７】
2014150703.tif 000009